【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
各色のインクに対応する各色のノズル列が走査方向に沿って配列された記録ヘッドを、記録媒体の記録領域に対して走査させることによって画像を記録するインクジェット記録方法において、
前記記録ヘッドの複数のノズル列を複数のグループに分けるにあたり、互いに隣接するノズル列同士が異なるグループに属するようにグループ分けを行うグループ分け工程と、
前記記録ヘッドの同じ走査において、前記複数のグループのうち一方のグループにおけるノズル列の使用比率が他方のグループにおけるノズル列の使用比率よりも高くなるように制御する制御工程と、
前記同じ走査において、前記制御された使用比率に従って前記複数のグループに含まれるノズル列により前記記録領域へ記録を行う記録工程と
を備えることを特徴とするインクジェット記録方法。
【請求項２】
前記一方のグループに属する各色ノズル列は、前記他方のグループに含まれないことを特徴とする請求項１に記載のインクジェット記録方法。
【請求項３】
各色のインクに対応する各色のノズル列が走査方向に沿って対称となるよう配列された記録ヘッドを、記録媒体の記録領域に対して走査させることによって画像を記録するインクジェット記録方法において、
前記記録ヘッドの複数のノズル列を複数のグループに分けるにあたり、互いに隣接するノズル列同士が異なるグループに属するよう且つ当該異なるグループそれぞれに属する各色ノズル列の組合せが同じとなるようにグループ分けを行うグループ分け工程と、
前記記録ヘッドの同じ走査において、前記複数のグループのうち一方のグループにおけるノズル列の使用比率が他方のグループにおけるノズル列の使用比率よりも高くなるように制御する制御工程と、
前記同じ走査において、前記制御された使用比率に従って前記複数のグループに含まれるノズル列により前記記録領域へ記録を行う記録工程と
を備えることを特徴とするインクジェット記録方法。
【請求項４】
往路走査と復路走査とで色の重なる順番が同じになるように、各色のインクに対応するノズル列を走査方向に配列した記録ヘッドを、記録媒体の記録領域に対して走査させることによって画像を記録するインクジェット記録方法において、
前記記録ヘッドの複数のノズル列を、少なくとも２つのグループを含む複数のグループに分けるにあたり、互いに隣接するノズル列同士が異なるグループに属するようグループ分けを行うグループ分け工程と、
前記記録ヘッドの同じ走査において、前記少なくとも２つのグループのうちの一方のグループにおけるノズル列の使用比率が他方のグループにおけるノズル列の使用比率よりも高くなるように制御する制御工程と、
前記同じ走査で、前記制御された使用比率に従って前記複数のグループに含まれるノズル列により前記記録領域へ記録を行う記録工程と
を備えることを特徴とするインクジェット記録方法。
【請求項５】
前記グループ分け工程は、前記異なるグループそれぞれに属する各色ノズル列の組合せが同じとなるようにグループ分けを行うことを特徴とする請求項４に記載のインクジェット記録方法。
【請求項６】
前記制御工程は、前記複数のグループのうち、前記記録ヘッドの往路走査の先頭のノズル列を有するグループの前記使用比率が高くなるように制御することを特徴とする請求項１乃至５のいずれかに記載のインクジェット記録方法。
【請求項７】
前記制御工程は、往走査において前記一方のグループにおけるノズル列の使用比率をＮ、前記他方のグループにおけるノズル列の使用比率をＭ（Ｍ＜Ｎ）と定め、且つ復走査において前記一方のグループにおけるノズル列の使用比率をＭ、前記他方のグループにおけるノズル列の使用比率をＮと定めることを特徴とする請求項３乃至６のいずれかに記載のインクジェット記録方法。
【請求項８】
前記制御工程は、同一の走査での同色のノズル列の使用比率を定めるための第１のマスクパターンとして、異なる使用比率が定められた第１のマスクパターンを前記異なるグループの同色ノズル列に対して適用することにより、前記一方のグループに属するノズル列の使用比率が前記他方のグループに属するノズル列の使用比率よりも高くなるように制御することを特徴とする請求項３または５に記載のインクジェット記録方法。
【請求項９】
前記記録工程は、前記複数のグループそれぞれに対応する画像データに対して、前記第１のマスクパターンによる間引き処理を施すことで得られた吐出データに基づき記録を行うことを特徴とする請求項８に記載のインクジェット記録方法。
【請求項１０】
前記記録工程は、第１のマスクパターンを用いた走査の複数回で前記記録領域への記録を完成するものであって、前記吐出データは、前記各走査に対して前記記録領域への記録を割り振るための第２のマスクパターン、および前記第１のマスクパターンを用いて前記画像データに対して間引き処理を施すことにより生成されることを特徴とする請求項９に記載のインクジェット記録方法。
【請求項１１】
各色のインクに対応する各色のノズル列が走査方向に沿って対称となるよう配列された記録ヘッドを、記録媒体の記録領域に対して走査させることによって画像を記録するインクジェット記録装置において、
前記記録ヘッドの複数のノズル列を複数のグループに分けるにあたり、互いに隣接するノズル列同士が異なるグループに属するよう且つ当該異なるグループそれぞれに属する各色ノズル列の組合せが同じとなるようにグループ分けを行うグループ分け手段と、
前記記録ヘッドの同じ走査において、前記複数のグループのうち一方のグループにおけるノズル列の使用比率が他方のグループにおけるノズル列の使用比率よりも高くなるように制御する制御手段と、
前記同じ走査において、前記制御された使用比率に従って前記複数のグループに含まれるノズル列により前記記録領域へ記録を行う記録手段と
を備えることを特徴とするインクジェット記録装置。
【手続補正２】
【補正対象書類名】明細書
【補正対象項目名】００１７
【補正方法】変更
【補正の内容】
【００１７】
このような目的を達成するために、本発明は、各色のインクに対応する各色のノズル列が走査方向に沿って配列された記録ヘッドを、記録媒体の記録領域に対して走査させることによって画像を記録するインクジェット記録方法において、前記記録ヘッドの複数のノズル列を複数のグループに分けるにあたり、互いに隣接するノズル列同士が異なるグループに属するようにグループ分けを行うグループ分け工程と、前記記録ヘッドの同じ走査において、前記複数のグループのうち一方のグループにおけるノズル列の使用比率が他方のグループにおけるノズル列の使用比率よりも高くなるように制御する制御工程と、前記同じ走査において、前記制御された使用比率に従って前記複数のグループに含まれるノズル列により前記記録領域へ記録を行う記録工程とを備えることを特徴とする。
【手続補正３】
【補正対象書類名】明細書
【補正対象項目名】００１８
【補正方法】変更
【補正の内容】
【００１８】
また、本発明は、各色のインクに対応する各色のノズル列が走査方向に沿って対称となるよう配列された記録ヘッドを、記録媒体の記録領域に対して走査させることによって画像を記録するインクジェット記録方法において、前記記録ヘッドの複数のノズル列を複数のグループに分けるにあたり、互いに隣接するノズル列同士が異なるグループに属するよう且つ当該異なるグループそれぞれに属する各色ノズル列の組合せが同じとなるようにグループ分けを行うグループ分け工程と、前記記録ヘッドの同じ走査において、前記複数のグループのうち一方のグループにおけるノズル列の使用比率が他方のグループにおけるノズル列の使用比率よりも高くなるように制御する制御工程と、前記同じ走査において、前記制御された使用比率に従って前記複数のグループに含まれるノズル列により前記記録領域へ記録を行う記録工程とを備えることを特徴とする。
【手続補正４】
【補正対象書類名】明細書
【補正対象項目名】００１９
【補正方法】変更
【補正の内容】
【００１９】
また、本発明は、往路走査と復路走査とで色の重なる順番が同じになるように、各色のインクに対応するノズル列を走査方向に配列した記録ヘッドを、記録媒体の記録領域に対して走査させることによって画像を記録するインクジェット記録方法において、前記記録ヘッドの複数のノズル列を、少なくとも２つのグループを含む複数のグループに分けるにあたり、互いに隣接するノズル列同士が異なるグループに属するようグループ分けを行うグループ分け工程と、前記記録ヘッドの同じ走査において、前記少なくとも２つのグループのうちの一方のグループにおけるノズル列の使用比率が他方のグループにおけるノズル列の使用比率よりも高くなるように制御する制御工程と、前記同じ走査で、前記制御された使用比率に従って前記複数のグループに含まれるノズル列により前記記録領域へ記録を行う記録工程とを備えることを特徴とする。
【手続補正５】
【補正対象書類名】明細書
【補正対象項目名】００２０
【補正方法】変更
【補正の内容】
【００２０】
また、本発明は、各色のインクに対応する各色のノズル列が走査方向に沿って対称となるよう配列された記録ヘッドを、記録媒体の記録領域に対して走査させることによって画像を記録するインクジェット記録装置において、前記記録ヘッドの複数のノズル列を複数のグループに分けるにあたり、互いに隣接するノズル列同士が異なるグループに属するよう且つ当該異なるグループそれぞれに属する各色ノズル列の組合せが同じとなるようにグループ分けを行うグループ分け手段と、前記記録ヘッドの同じ走査において、前記複数のグループのうち一方のグループにおけるノズル列の使用比率が他方のグループにおけるノズル列の使用比率よりも高くなるように制御する制御手段と、前記同じ走査において、前記制御された使用比率に従って前記複数のグループに含まれるノズル列により前記記録領域へ記録を行う記録手段とを備えることを特徴とする。